(57)【特許請求の範囲】
【請求項１】
折版屋根のタイトフレームに対して平行配置した複数のベースフレームを用いて載置物を載置固定する載置物の架台であって、
上記ベースフレームを、中空基部と、該中空基部下端の幅方向一方に突出し且つ上記タイトフレームの配置ピッチに応じたボルト透孔を長手方向に多数透設した下位固定突片と、上記中空基部の上端乃至上位の該下位固定片と同一の幅方向一方に突出し且つ上面に上向き開口のＣ字スライド溝を配置した上位ボルト支持突片と、上記下位固定突片と該上位ボルト支持突片間に凹陥したナット締着空間と、を備えてアルミ押出材で一体に構成し、
該ベースフレームにその上記上位ボルト支持突片のＣ字スライド溝にボルト頭を嵌挿して起立配置したボルトにナット締着することによって該ベースフレームとともに架台をなす支持脚及び固定金具を用いて載置物を載置固定してなり、
前記支持脚が前記固定金具を介して前記ベースフレームに固定され、
該支持脚を、対向する一対の側片と、該側片を連結する連結片と、を備えて断面コ字状にして該連結片の上部に切欠部を配置し、該切欠部に上記載置物の支持フレームを受入れ自在として構成してなり、かつ、前記側片及び前記連結片には、前記固定金具に固定されるための固定具透孔が設けられ、
上記載置物を折版屋根の幅方向又は長手方向に選択的に傾斜配置自在とするように、上記支持脚を多数の同高及び異高とし、上記複数の各ベースフレーム長手方向に異高とし且つ隣接するベースフレームの対応位置で同高とし又は各ベースフレーム長手方向に同高とし且つ隣接するベースフレームの対応位置で異高とするようにそれぞれベースフレーム長手方向に所定間隔に配置自在としてなることを特徴とする折版屋根用載置物の架台。
【請求項２】
請求項１に記載のベースフレームと支持脚と固定金具とを用い、折版屋根のタイトフレーム上に複数のベースフレームを平行配置するとともに該タイトフレームに突出の固定ボルトを下位固定突片の上記ボルト透孔に挿通し上記ナット締着空間における該下位固定突片の上面からのナット締着により該下位固定突片をタイトフレームに固定する一方、上位ボルト支持突片のＣ字スライド溝にスライド自在にボルト頭を嵌挿して起立したボルトに前記固定金具を介して起立固定した多数の前記支持脚によって前記折版屋根上に架台を設置し、該架台に載置物を載置固定してなることを特徴とする載置物を載置固定したカーポート。
【発明の詳細な説明】
【技術分野】
【０００１】
本発明は、折版屋根に太陽電池モジュールや屋上庭園ユニット等の載置物を載置固定するに用いる折版屋根用載置物の架台に関し、また、これを用いて載置物を載置固定したカーポートに関する。
【背景技術】
【０００２】
この種の折版屋根（折板屋根といってもよい）に載置物を固定するに用いる上記折版屋根に横架固定する架台のベースフレームとして、下記特許文献１は、断面コ字状にして、その上下面の幅方向中央位置に上記タイトフレームの配置ピッチに応じたボルト透孔を透設したものを用い、該ベースフレーム上に交差材を固定し、更に該交差材上に支持材を直交固定して、該支持材上に、太陽電池モジュールを載置固定したものとしてあり、このとき、ベースフレームは、タイトフレーム上に突出した固定ボルトに底板上からナットを締着して該タイトフレームとともに折版屋根に固定する一方、交差材を断面中空矩形として、その各内壁に配置した外側開口のＣ字スライド溝に設置したボルトに対して、ベースフレーム及び支持材からそれぞれナットを締着することによって、上記ベースフレームに交差材を、該交差材に支持材を固定したものとしてある。
【先行技術文献】
【特許文献】
【０００３】
【特許文献１】特開２００２−３０７７３号公報
【発明の概要】
【発明が解決しようとする課題】
【０００４】
この場合、太陽電池モジュールの如き載置物を折版屋根に載置固定することができるが、該載置物の固定に、上記ベースフレームの他に、交差材及び支持材を用いるために載置物の載置固定のための架台構成の部材数が多くなり、コストアップを招く可能性が残り、また、これら多数の部材を相互に固定するためにナットの締着箇所が多くなって、載置物の載置固定のための作業が煩雑化し易いという問題点が残されている。
【０００５】
更に、ベースフレーム、交差材、支持材を交互に交差して固定するところ、これらの高さ幅を合計した寸法は常に一定であるから、折版屋根に対して載置物は常に平行に載置固定したものとなり、該載置物を折版屋根に対して傾斜配置することができず、従って、例えば太陽電池モジュールのように、太陽に対して所定の勾配を確保して設置することが好ましい載置物に用いるには必ずしも適当ではないという問題点が残されている。
【０００６】
本発明はかかる事情に鑑みてなされたもので、その解決課題とするところは、可及的に架台構成のための部材数を減少しつつ、架台の構成を可及的容易になし得るとともに、必要に応じて載置物の傾斜配置を可能とし得る折版屋根用載置物の架台を提供するにあり、また、これを用いて載置物を載置固定したカーポートを提供するにある。
【課題を解決するための手段】
【０００７】
上記課題に沿って本発明は、太陽電池モジュール、屋上庭園ユニット等の載置物を載置固定する載置物の架台に用いるベースフレームを、圧縮強度に優れてその耐荷重性を確保し得るように中空基部を備えたものとし、該中空基部の下端に、該中空基部から下方に突出することなく、折版屋根のタイトフレームの固定ボルトを挿通してナット締着を行うように、該固定ボルト配置ピッチに合せたボルト透孔を有するタイトフレーム固定用の下位固定突片を配置し、上記中空基部の上端乃至上位に、同じく該中空基部から上方に突出することなく、上向き開口のＣ字スライド溝を有してボルトを起立し、該ボルトに載置物や架台構成の他の部材をナット締着する上位ボルト支持突片を配置するとともにこれら下位固定突片と上位ボルト支持突片を中空基部に同一方向に突出し、その間を抉るように凹陥して配置した上記ナット締着用のナット締着空間を備えて形成することによって、上記中空基部の荷重支持下で、下位固定片、上位ボルト支持片によるベースフレームと載置物乃至架台構成の他の部材の固定を可及的容易にして確実且つ耐荷重性に優れたものとする一方、必要に応じて上記他の部材を支持脚のように支持高さを可変とし得るものを用いて、載置物の傾斜配置をなし得るように使用可能とするようにしたものであって、即ち、請求項１に記載の発明を、折版屋根のタイトフレームに対して平行配置した複数のベースフレームを用いて載置物を載置固定する載置物の架台であって、上記ベースフレームを、中空基部と、該中空基部下端の幅方向一方に突出し且つ上記タイトフレームの配置ピッチに応じたボルト透孔を長手方向に多数透設した下位固定突片と、上記中空基部の上端乃至上位の該下位固定片と同一の幅方向一方に突出し且つ上面に上向き開口のＣ字スライド溝を配置した上位ボルト支持突片と、上記下位固定突片と該上位ボルト支持突片間に凹陥したナット締着空間と、を備えてアルミ押出材で一体に構成し、該ベースフレームにその上記上位ボルト支持突片のＣ字スライド溝にボルト頭を嵌挿して起立配置したボルトにナット締着することによって該ベースフレームとともに架台をなす支持脚及び固定金具を用いて載置物を載置固定してなり、前記支持脚が前記固定金具を介して前記ベースフレームに固定され、該支持脚を、対向する一対の側片と、該側片を連結する連結片と、を備えて断面コ字状にして該連結片の上部に切欠部を配置し、該切欠部に上記載置物の支持フレームを受入れ自在として構成してなり、かつ、前記側片及び前記連結片には、前記固定金具に固定されるための固定具透孔が設けられ、上記載置物を折版屋根の幅方向又は長手方向に選択的に傾斜配置自在とするように、上記支持脚を多数の同高及び異高とし、上記複数の各ベースフレーム長手方向に異高とし且つ隣接するベースフレームの対応位置で同高とし又は各ベースフレーム長手方向に同高とし且つ隣接するベースフレームの対応位置で異高とするようにそれぞれベースフレーム長手方向に所定間隔に配置自在としてなることを特徴とする折版屋根用載置物の架台としたものである。
【００１０】
請求項２に記載の発明は、上記ベースプレートと支持脚の架台を用いて、折版屋根に載置物を載置固定して構成したカーポートを提供するように、これを、請求項１に記載のベースフレームと支持脚と固定金具とを用い、折版屋根のタイトフレーム上に複数のベースフレームを平行配置するとともに該タイトフレームに突出の固定ボルトを下位固定突片の上記ボルト透孔に挿通し上記ナット締着空間における該下位固定突片の上面からのナット締着により該下位固定突片をタイトフレームに固定する一方、上位ボルト支持突片のＣ字スライド溝にスライド自在にボルト頭を嵌挿して起立したボルトに前記固定金具を介して起立固定した多数の前記支持脚によって前記折版屋根上に架台を設置し、該架台に載置物を載置固定してなることを特徴とする載置物を載置固定したカーポートとしたものである。
【００１１】
本発明はこれらをそれぞれ発明の要旨として、上記課題解決の手段としたものである。
【発明の効果】
【００１２】
本発明は以上のとおりに構成したから、請求項１に記載の発明は、太陽電池モジュール、屋上庭園ユニット等の載置物を載置固定する載置物の架台に用いるベースフレームを、圧縮強度に優れてその耐荷重性を確保し得るように中空基部を備えたものとし、該中空基部の下端に、該中空基部から下方に突出することなく、折版屋根のタイトフレームの固定ボルトを挿通してナット締着を行う固定ボルト配置ピッチに合せたボルト透孔を有するタイトフレーム固定用の下位固定片を配置し、上記中空基部の上端乃至上位に、同じく該中空基部から上方に突出することなく、上向き開口のＣ字スライド溝を有してボルトを起立し、該ボルトに載置物や架台構成の他の部材をナット締着する上位ボルト支持突片を配置するとともにこれら下位固定片と上位ボルト支持突片を中空基部に同一方向に突出し、その間を抉るように凹陥して配置した上記ナット締着用のナット締着空間を備えて形成することによって、上記中空基部の荷重支持下で、下位固定片、上位ボルト支持片によるベースフレームと載置物乃至架台構成の他の部材の固定を可及的容易にして確実且つ耐荷重性に優れたものとする一方、必要に応じて上記他の部材を支持脚のように支持高さを可変とし得るものを用いて、載置物の傾斜配置をなし得るように使用可能とするようにして、可及的に架台構成のための部材数を減少しつつ、架台の構成を可及的容易になし得るとともに、必要に応じて載置物の傾斜配置を可能とし得る折版屋根用載置物の架台を提供することができる。
【００１３】
また、上記に加えて、架台にベースフレームとともに支持脚を用いるに際して、該支持脚を強度に優れて載置物の支持フレームを安定且つ確実に支持し得るものとすることができる。
【００１４】
また、同じく上記に加えて、上記架台に用いる支持脚を多数の同高及び異高のものとすることによって、該支持脚のベースフレームに対する配置形態により上記載置物を、折版屋根の幅方向又は長手方向の任意の方向に向けて選択的に傾斜配置し得るものとすることができる。
【００１５】
請求項２に記載の発明は、上記ベースプレートと支持脚の架台を用いて、折版屋根に載置物を載置固定して構成したカーポートを提供することができる。
【図面の簡単な説明】
【００１６】
【図１】太陽電池モジュールを設置したカーポートの斜視図である。
【図２】ベースフレームの縦断面図である。
【図３】タイトフレームに対するベースフレームの固定状態を示す縦断面図である。
【図４】ベースフレームとボルト及び端部閉塞プレートの関係を示す斜視図である。
【図５】ベースフレームと、金具を介した支持脚の固定状態を示す斜視図である。
【図６】支持脚に対するパネルフレームの固定状態を示す斜視図である。
【図７】他の例の太陽電池モジュールを設置したカーポートの斜視図である。
【図８】ベースフレームと、金具を介した支持脚の固定状態を示す斜視図である。
【図９】支持脚に対するパネルフレームの固定状態を示す斜視図である。
【発明を実施するための形態】
【００１７】
以下図面の例に従って本発明を更に具体的に説明すれば、図１乃至図６において、Ａは、折版屋根１上に架台３を設置し、該架台３に載置物として、例えば、太陽電池モジュール２を載置固定したカーポートであり、該カーポートＡの上記架台３は、これを、ベースフレーム４と支持脚７を用い、折版屋根１のタイトフレーム１１上に複数のベースフレーム４を平行配置するとともに該タイトフレーム１１に突出の固定ボルト１２を下位固定突片４２のボルト透孔４３に挿通し上記ナット締着空間４６における該下位固定突片４２の上面からのナット１３締着により該下位固定突片４２をタイトフレーム１１に固定する一方、上位ボルト支持突片４４のＣ字スライド溝４５にスライド自在にボルト頭を嵌挿して起立したボルト５に直接又は固定金具を介して起立固定した多数の支持脚７によって折版屋根１上に設置したものとしてあり、本例にあって該太陽電池モジュール２は、例えば、カーポートＡの奥行方向（長さ方向）に勾配を付するように折版屋根に傾斜配置したものとしてある。
【００１８】
このとき、上記ベースフレーム４は、これを、中空基部４１と、該中空基部４１下端の幅方向一方に突出し且つ上記タイトフレーム１１の配置ピッチに応じたボルト透孔４３を長手方向に多数透設した下位固定突片４２と、上記中空基部４１の上端乃至上位の該下位固定片４２と同一の幅方向一方に突出し且つ上面に上向き開口のＣ字スライド溝４５を配置した上位ボルト支持突片４４と、上記下位固定突片４２と該上位ボルト支持突片４４間に凹陥したナット締着空間４６を備えてアルミ押出材で一体に構成し、該ベースフレーム４にその上記上位ボルト支持突片４４のＣ字スライド溝４５にボルト頭を嵌挿して起立配置したボルト５にナット５１締着することによって直接に又は該ベースフレーム４とともに架台３をなす支持脚７を用いたものとしてあり、本例にあって、該上記ベースフレーム４とともに架台３をなす支持脚７は、これを、対向する側片７１と、該側片７１を連結する連結片７２を備えて断面コ字状にして該連結片７２の上部に切欠部７３を配置し、該切欠部７３に上記載置物の、本例にあってはパネルフレーム２１を受入れ自在として構成してある。
【００１９】
即ち、ベースフレーム４は、アルミ押出材に切断、穴あけ等の加工を施した折版屋根乃至載置物の幅又は長さ、本例にあっては幅と略同等の長尺にして、高さを７ｃｍ程度、幅を８ｃｍ程度としたものとしてあり、このとき、その上記中空基部４１は異形の略四角形をなすものとし、該中空基部４１の下面と面一に、その下端から上記下位固定突片４２をフラットなフィン状に突出し、また、該中空基部４１の上面と面一に、その上端から上記上位ボルト支持突片４４を、そのＣ字スライド溝４５とフラットなフィン状の先端部を突出してあり、これによって該下位固定突片４２と上位ボルト支持突片４４間に、例えば、上方において３〜２ｃｍ程度、下方において４〜３ｃｍ程度として、下方の奥行幅を拡大するように、該下位固定突片４２と上位ボルト支持突片４４間を抉り開口することによって中空基部４１側に凹陥したナット締着空間４６を幅方向片側の側方に配置したものとしてある。
【００２０】
ベースフレーム４における下位固定突片４２は、重ね式折版の折版屋根１におけるタイトフレーム１１、特にその固定用の固定ボルト１２、即ち剣先ボルトの配置ピッチ、例えば、２００、２５０又は３００ｍｍに合せた間隔で、該固定ボルト１２を挿通する多数のボルト透孔４３を透設してあり、該ボルト透孔４３にタイトフレーム１１毎の多数の固定ボルト１２を挿通して、上記下位固定突片４２上においてナット１３を締着することによって、上記タイトフレーム１１に平行配置したベースフレーム４を該折版屋根１に一体的に固定するようにしてある。
【００２１】
上位ボルト支持突片４４は、上記中空基部４１側に上向き開口のＣ字スライド溝４５を形成してあり、該Ｃ字スライド溝４５は、中空基部４１から上方に突出しないように、例えば、中空基部４１の上面と面一をなすように配置してあり、本例にあって該Ｃ字スライド溝４５は、Ｍ８×２０の六角ボルト用の六角形のボルト頭をスライド自在に嵌挿する上向きＣ字状の形状をなすものとしてあり、該Ｃ字スライド溝４５には、ベースフレーム４の長手方向端部から所定多数のボルト５をスライド嵌挿して、該ベースフレーム４の上方に向けてそのボルト軸を起立してある。
【００２２】
該下位固定突片４２と上位ボルト支持突片４４間の上記ナット締着空間４６は、これら下位固定突片４２と上位ボルト支持突片４４間を抉り開口してあるから、折版屋根１のタイトフレーム１１に平行配置したベースフレーム４に挿通したタイトフレーム１１の固定ボルト１２に対して、各上記下位固定突片４２からのナット１３を、例えばレンチのような工具を挿入してその回動による締着操作を行うのに必要且つ充分なスペースをなすとともにナット１３を締着する固定ボルト１２は上記２００乃至３００ｍｍ毎の間隔に配置したものであるから、隣接する固定ボルト１２に工具が当って、各ナットの締着操作の障害となるようなこともない。
【００２３】
上記Ｃ字スライド溝４５にボルト５を嵌挿した後に、ベースフレーム４の長手方向両端には端部閉塞プレート４７を配置し、中空基部４１に配置した複数、本例にあっては上下に２箇所のタッピングホール４８にネジ４９を螺入して、中空基部４１の端部を閉塞処理して、架台３のベースフレーム４としてある。
【００２４】
一方、支持脚７は、例えば、厚肉鋼板に、切断、折曲、穴あけ等の加工を施して、一対の上記対向する側片７１と、該側片７１の一端を連結するように配置した連結片７２を有して断面Ｃ字状とし且つ該連結片７２の上部を切欠いて、対向する側片７１間を開放した上向き開口Ｃ字状の切欠部７３を備えたものとするとともに各側片７１及び連結片７２にそれぞれボルト挿通用のボルト透孔７４（請求項の「固定具透孔」に相当する）を透設した、例えば、側片７１の幅を５ｃｍ、連結片７２の幅を８ｃｍ程度としたものとしてある。本例にあって、該支持脚７は、後述のように、上記載置物の太陽電池モジュール２を折版屋根１の幅方向又は長手方向に選択的に傾斜配置自在とするように多数の同高及び異高のものとしてあり、該支持脚７の高さは、例えば、これを低いもので１０ｃｍ程度、高いもので１ｍ程度とするように段階的に変化した、本例にあって４種類の高さのものとし、各高さのものをそれぞれ多数用いることによって、支持脚７を上記多数の同高及び異高のものとしてある。
【００２５】
このように構成したベースフレーム４と支持脚７による折版屋根１に対する載置物の太陽電池モジュール２の載置固定は、上記タイトフレーム１１に平行固定したベースフレーム４に、固定金具、本例にあってはＬ字金具６を介して支持脚７を起立固定し、該支持脚７に上記太陽電池モジュール２のパネルフレーム２１を支持することによって、折版屋根に該太陽電池モジュール２を傾斜配置したものとしてある。
【００２６】
即ち、支持脚７の起立固定に用いる上記Ｌ字金具６（請求項の「固定金具」に相当する）は、その水平の固定片のボルト透孔にベースフレームのＣ字スライド溝４５にボルト頭を嵌挿したボルト５のボルト軸を受入れ、該固定片上からナット５１を締着する一方、その鉛直の起立片のボルト透孔を介して上記支持脚７を同じくボルト５とナット５１によって締着固定してある。
【００２７】
このとき、Ｌ字金具６は、支持脚７毎に一対用いて、その固定片をそれぞれベースフレーム４の長手方向に相互に逆向きに向けるように該ベースプレフレーム４に配置し、該一対のＬ字金具６の起立片により支持脚７の対向する側片７１を挟み、該起立片の側片からボルト５を起立片に挿入し、支持脚７の内側でナット５１締着することによって、その固定を行ってある。
【００２８】
このとき、ベースフレーム４は、タイトフレーム１１に平行となる複数、例えば３本を平行に固定し、該ベースフレーム４に、例えば各４本の支持脚７を、各ベースフレーム４長手方向に異高とし且つ隣接するベースフレーム４の対応位置で同高とするようにそれぞれベースフレーム４長手方向に所定間隔に配置してある。即ち、支持脚７は上記４種の異高のものを、その切欠部７３をベースフレーム４直交方向に向けるとともに該ベースフレーム４長手方向に順次高さを段階的に変化し、各ベースフレーム４の長手方向同一位置において各隣接するベースフレーム４間で支持脚の高さを同高とするように、上記Ｌ字金具６を用いて所定間隔に起立固定してあり、これによって、支持脚７の高さを折版屋根１の幅方向に同一とし、奥行方向に向けて傾斜するように配置したものとしてある。
【００２９】
このようにベースフレーム４に支持脚７の起立固定を行なうことによって、ベースフレーム４、支持脚７及び本例にあってはＬ字金具６により架台３を形成することができ、従って、これに載置物を載置固定することによって、該載置物の傾斜配置を行うことが可能となるところ、本例にあって該載置物、即ち、太陽電池モジュール２は、例えばその支持フレームとして、下面に配置したアルミ押出形材製３本の上記パネルフレーム２１を備え、該パネルフレーム２１を架台３、特にその支持脚７に予め設置し、該パネルフレーム２１を基準にして太陽電池モジュール２を現場で組立設置することにより、その架台３を用いた折版屋根１への載置固定を行ったものとしてある。該パネルフレーム２１は、上記支持脚７の切欠部７３にそれぞれ嵌挿し、各側片７１のネジ孔を介してネジを該パネルフレーム７３に螺入固定することによって、その設置を行うものとしてあり、これによって各ベースフレーム４に対して合計１２本の支持脚７を介して上記３本のパネルフレーム２１を同一傾斜角度に配置して、載置物、即ち太陽電池モジュール２を折版屋根に傾斜配置したものとしてある。
【００３０】
図７乃至図９は、他の例を示すもので、本例にあって載置物の太陽電池モジュール２を、上記多数の同高及び異高の支持脚７を用いて、上記長手方向に傾斜配置したものに対して、折版屋根１の幅方向（開口方向）に選択的に傾斜配置した例である。本例にあって、上記ベースフレーム４は、これを同じくタイトフレーム１１に平行固定する一方、該ベースフレーム４に起立固定した支持脚７を、各ベースフレーム４長手方向に同高とし且つ隣接するベースフレームの対応位置で異高とするようにそれぞれベースフレーム４長手方向に所定間隔に配置してある。即ち、支持脚７は上記４種の異高として多数の同高及び異高としたものを、ベースフレーム４長手方向に高さを一定とし、各ベースフレーム４の長手方向同一位置において各隣接するベースフレーム４間で支持脚７の高さを順次変化するように、上記Ｌ字金具６を用いて所定間隔に起立固定してあり、これによって、支持脚７の高さを折版屋根の長手方向に同一とし、幅方向に傾斜をなすように配置したものとしてある。
【００３１】
このとき、上記支持脚７を起立固定するＬ字金具６は、その一方を、上記と同様に固定片をベースフレーム４に平行に、他方を、その固定片をベースフレーム４に直交するように配置するとともに上記ベースフレーム４に直交する一方のＬ字金具６を支持脚７の対向する片側の側片７１の内側に配置し、ベースフレーム４に平行する他方のＬ字金具６を支持脚７の連結片７２の外側に配置し、それぞれ鉛直の起立片に支持脚７の外側からのボルト５に対して内側でナット５１締着を行うことによって、該支持脚７を、その切欠部７３をベースフレーム４長手方向に向けて、該Ｌ字金具６を用いた起立固定を行ったものとしてあり、これによって、支持脚７の高さを、上記折版屋根１の長手方向に同一とし、幅方向に傾斜をなすようにしてある。その余は上記図１乃至図６の例と変わらないので、同一符号を付して重複する説明を省略する。
【００３２】
図中８は、支持脚７を相互に連結して支持脚７の枠強度を確保した支持脚連結材、１４は固定ボルト１３にナット締着後被嵌したボルトキャップを示す。
【００３３】
以上の折板屋根１に太陽電池モジュール２を載置固定したカーポートＡは、可及的に架台３構成のための部材数を減少しつつ、架台３の構成を可及的容易になし得るとともに太陽電池モジュールを折板屋根１の幅方向又は長さ方向の任意の方向に向けた選択的な傾斜配置、即ち、幅方向の左右一方、長さ方向の前後一方に向ける如くに、太陽電池モジュール３をカーポートＡの平面四角形にして水平乃至それ自体傾斜するように配置した折板屋根１に対して、その前後左右の４方向いずれの方向に向けてもその選択的な傾斜配置を行うことができ、従って、カーポートＡの設置状況に応じて太陽電池発電を可及的に有効に行うことができる。
【００３４】
図示した例は以上のとおりとしたが、載置物を屋上庭園ユニット等、屋上活用のためにその余の用途のものとすること、ベースフレームに、例えば載置物に形成した固定片のボルト透孔に、Ｃ字スライド溝のボルトを挿入してナット締着することによってその固定を行うようにし、また、載置物の載置固定に枠材を用いるときは、該枠材に形成した同様の固定片のボルト透孔に挿入したボルトに、同じくナット締着することによってその固定を行うようにすること等を含めて、本発明の実施に当って、折板屋根、載置物、架台、そのベースフレーム、中空基部、下位固定突片、上位ボルト支持突片、ナット締着空間、Ｃ字スライド溝、必要に応じて用いる支持脚、これを用いたカーポート等の各具体的形状、構造、材質、これらの関係、これらに対する付加等は、上記発明の要旨に反しない限り様々な形態のものとすることができる。
【符号の説明】
【００３５】
Ａ  カーポート
１  折版屋根
１１  タイトフレーム
１２  固定ボルト
１３  ナット
１４  ボルトキャップ
２  太陽電池モジュール
２１  パネルフレーム
３  架台
４  ベースフレーム
４１  中空基部
４２  下位固定突片
４３  ボルト透孔
４４  上位ボルト支持突片
４５  Ｃ字スライド溝
４６  ナット締着空間
４７  端部閉塞プレート
４８  タッピングホール
４９  ネジ
５  ボルト
５１  ナット
６  Ｌ字金具
７  支持脚
７１  側片
７２  連結片
７３  切欠部
７４  ボルト透孔
８  連結材
【図１】
0005706699.tif 000002
【図２】
0005706699.tif 000003
【図３】
0005706699.tif 000004
【図４】
0005706699.tif 000005
【図５】
0005706699.tif 000006
【図６】
0005706699.tif 000007
【図７】
0005706699.tif 000008
【図８】
0005706699.tif 000009
【図９】
0005706699.tif 000010